(57)【要約】【課題】自分宛の郵便物に対して予め配送条件を設定し、必要な郵便物だけを利用者が受取り可能にすること。【解決手段】郵便物の受領代行を希望する利用者の会員名称、住所及び電子メールアドレスを受付け、私書箱番号を付与して会員管理データベースに登録する手段と、受領代行対象の郵便物受領住所に配達された郵便物の配送条件データを配送条件データベースに格納し管理する手段と、郵便物受領住所に配達された郵便物に記載された差出人住所氏名、私書箱番号および受取人氏名を読み取る手段と、読み取った受取人氏名に対応する会員の配送条件データを前記配送条件データベースから取得し、当該会員のみが参照できるＷＷＷページを生成し、前記読み取り手段によって読み取った差出人住所氏名、私書箱番号および受取人氏名を掲載する手段と、ＷＷＷページに掲載された当該会員宛の郵便物に対する次の指示を受信する手段とを備える。【選択図】        図１
2004287726.tif 000002
【特許請求の範囲】
【請求項１】
登録された会員に対して、郵便物受領住所を提供し、登録された会員宛てに送付された郵便物を代理で受け取り、会員宛てに配送する郵便物受領代行システムであって、
郵便物の受領代行を希望する利用者の会員端末からの会員登録要求に対し会員登録画面を送信し、該会員登録画面中で会員名称、住所及び電子メールアドレスを受付け、私書箱番号を付与して会員管理データベースに登録する会員管理手段と、
前記会員端末に対して郵便物配送条件設定画面を送信し、受領代行対象の郵便物受領住所に配達された郵便物の配送条件データを受付け、配送条件データベースに格納し管理する配送条件管理手段と、
前記郵便物受領住所に配達された郵便物の前面および裏面に記載された差出人住所氏名、私書箱番号および受取人氏名を読み取る読み取り手段と、
読み取った受取人氏名に対応する会員の配送条件データを前記配送条件データベースから取得し、当該会員のみが参照できるＷＷＷページを生成し、前記読み取り手段によって読み取った差出人住所氏名、私書箱番号および受取人氏名を掲載すると共に、該会員に対して前記ＷＷＷページのＵＲＬを電子メールで通知する受領郵便ＷＷＷページ生成手段と、
前記ＷＷＷページにアクセスした会員の会員端末から、該ＷＷＷページに掲載された当該会員宛の郵便物に対する次の指示を受信し、受領代行を行うオペレータの介入が必要か否かを判定し、オペレータの介入が必要ならばオペレータ端末に通知し、不要ならば前記配送条件データに従って受領代行した郵便物の配送指示を行う受領郵便指示受信手段とを備えることを特徴とする郵便物受領代行システム。
【請求項２】
前記配送条件データとして、会員に配送することなく廃棄又は受取拒否することを登録することを特徴とする請求項１に記載の郵便物受領代行システム。
【請求項３】
登録された会員に対して、郵便物受領住所を提供し、登録された会員宛てに送付された郵便物を代理で受け取り、会員宛てに配送する郵便物受領代行方法であって、
郵便物の受領代行を希望する利用者の会員端末からの会員登録要求に対し会員登録画面を送信し、該会員登録画面中で会員名称、住所及び電子メールアドレスを受付け、私書箱番号を付与して会員管理データベースに登録する第１のステップと、
前記会員端末に対して郵便物配送条件設定画面を送信し、受領代行対象の郵便物受領住所に配達された郵便物の配送条件データを受付け、配送条件データベースに格納し管理する第２のステップと、
前記郵便物受領住所に配達された郵便物の前面および裏面に記載された差出人住所氏名、私書箱番号および受取人氏名を読み取る第３のステップと、
読み取った受取人氏名に対応する会員の配送条件データを前記配送条件データベースから取得し、当該会員のみが参照できるＷＷＷページを生成し、前記第３のステップで読み取った差出人住所氏名、私書箱番号および受取人氏名を掲載すると共に、該会員に対して前記ＷＷＷページのＵＲＬを電子メールで通知する第４のステップと、
前記ＷＷＷページにアクセスした会員の会員端末から、該ＷＷＷページに掲載された当該会員宛の郵便物に対する次の指示を受信し、受領代行を行うオペレータの介入が必要か否かを判定し、オペレータの介入が必要ならばオペレータ端末に通知し、不要ならば前記配送条件データに従って受領代行した郵便物の処理指示を行う第５のステップとを備えることを特徴とする郵便物受領代行方法。
【請求項４】
前記配送条件データとして、会員に配送することなく廃棄又は受取拒否することを登録することを特徴とする請求項３に記載の郵便物受領代行方法。
【発明の詳細な説明】
【０００１】
【発明の属する技術分野】
本発明は、会員として登録した利用者に私書箱番号を提供し、利用者の代わりに郵便物を受領する郵便物受領代行システム及び方法に関し、利用者の受領する郵便物を事前に会員によって設定された条件に従って配送するシステム及び方法に関する。
【０００２】
【従来の技術】
従来から知られている郵便物もしくは宅配物の受領代行サービスは利用者に私書箱を割り当て、郵便物を受領する。受領した郵便物は利用者からの依頼、もしくは事前に設定しておいた時間間隔で利用者にまとめて配送される。利用者が直接、私書箱に出向いて郵便物を受領することもある。
従来、この種のシステムとして特許文献１に開示されたものがある。
【０００３】
【特許文献１】
特開２００２−１５０１７７号公報
【０００４】
この特許文献１に開示されたシステムは、宅配物を自宅以外の代行店舗で受領することを目的とした宅配物受領代行サービスシステムに関するものである。これは、受領の代行をする店舗情報を集めてデータベースとして保持し、受領代行を希望する利用者との間で受領代行の契約を結ばせるものである。利用者はＷＷＷページを介して条件にあった受領代行店舗を検索する。
【０００５】
【発明が解決しようとする課題】
しかしながら、従来から知られている郵便物もしくは宅配物の受領代行サービスは代理で受領した郵便物もしくは宅配物をまとめて配送してくれるので利用者宛てに送付されたものは全て漏れなく手元に届くものの、利用者にとってはまったく不要なダイレクトメール等もまとめて配送されてしまう問題がある。
また、前記特許文献１に記載されたシステムは、契約者が受領代行店舗から受領を代行した宅配物の連絡を受け、その宅配物の引取りを行うものであって、受領を代行された宅配物は必ず引取らなければならず、不要なダイレクトメール等の引取りを拒否できないという問題がある。
【０００６】
本発明の目的は、受領を代行された郵便物に対して予め配送条件を設定でき、またネットワーク経由で受領代行された郵便物を確認でき、必要な郵便物だけを利用者が受取ることができる郵便物受領代行システム及び方法を提供することにある。
【０００７】
【課題を解決するための手段】
上記目的を達成するために、本発明に係る郵便物受領代行システムは、登録された会員に対して、郵便物受領住所を提供し、登録された会員宛てに送付された郵便物を代理で受け取り、会員宛てに配送する郵便物受領代行システムであって、郵便物の受領代行を希望する利用者の会員端末からの会員登録要求に対し会員登録画面を送信し、該会員登録画面中で会員名称、住所及び電子メールアドレスを受付け、私書箱番号を付与して会員管理データベースに登録する会員管理手段と、前記会員端末に対して郵便物配送条件設定画面を送信し、受領代行対象の郵便物受領住所に配達された郵便物の配送条件データを受付け、配送条件データベースに格納し管理する配送条件管理手段と、前記郵便物受領住所に配達された郵便物の前面および裏面に記載された差出人住所氏名、私書箱番号および受取人氏名を読み取る読み取り手段と、読み取った受取人氏名に対応する会員の配送条件データを前記配送条件データベースから取得し、当該会員のみが参照できるＷＷＷページを生成し、前記読み取り手段によって読み取った差出人住所氏名、私書箱番号および受取人氏名を掲載すると共に、該会員に対して前記ＷＷＷページのＵＲＬを電子メールで通知する受領郵便ＷＷＷページ生成手段と、前記ＷＷＷページにアクセスした会員の会員端末から、該ＷＷＷページに掲載された当該会員宛の郵便物に対する次の指示を受信し、受領代行を行うオペレータの介入が必要か否かを判定し、オペレータの介入が必要ならばオペレータ端末に通知し、不要ならば前記配送条件データに従って受領代行した郵便物の配送指示を行う受領郵便指示受信手段とを備えることを特徴とする。
また、前記配送条件データとして、会員に配送することなく廃棄または受取拒否することを登録することを特徴とする。
【０００８】
本発明に係る郵便物受領代行方法は、登録された会員に対して、郵便物受領住所を提供し、登録された会員宛てに送付された郵便物を代理で受け取り、会員宛てに配送する郵便物受領代行方法であって、郵便物の受領代行を希望する利用者の会員端末からの会員登録要求に対し会員登録画面を送信し、該会員登録画面中で会員名称、住所及び電子メールアドレスを受付け、私書箱番号を付与して会員管理データベースに登録する第１のステップと、前記会員端末に対して郵便物配送条件設定画面を送信し、受領代行対象の郵便物受領住所に配達された郵便物の配送条件データを受付け、配送条件データベースに格納し管理する第２のステップと、前記郵便物受領住所に配達された郵便物の前面および裏面に記載された差出人住所氏名、私書箱番号および受取人氏名を読み取る第３のステップと、読み取った受取人氏名に対応する会員の配送条件データを前記配送条件データベースから取得し、当該会員のみが参照できるＷＷＷページを生成し、前記第３のステップで読み取った差出人住所氏名、私書箱番号および受取人氏名を掲載すると共に、該会員に対して前記ＷＷＷページのＵＲＬを電子メールで通知する第４のステップと、前記ＷＷＷページにアクセスした会員の会員端末から、該ＷＷＷページに掲載された当該会員宛の郵便物に対する次の指示を受信し、受領代行を行うオペレータの介入が必要か否かを判定し、オペレータの介入が必要ならばオペレータ端末に通知し、不要ならば前記配送条件データに従って受領代行した郵便物の処理指示を行う第５のステップとを備えることを特徴とする。
また、前記配送条件データとして、会員に配送することなく廃棄または受取拒否することを登録することを特徴とする。
【０００９】
【発明の実施の形態】
以下、本発明を実施する場合の一形態を図面を参照して具体的に説明する。
図１は、本発明を適用する郵便物受領代行システムのブロック図である。
郵便物受領代行を依頼する会員の端末であるクライアント１は、ＷＷＷブラウザ１０１とメールクライアント１０２を表示する機能を有する。クライアント１はインターネット１０３を介して郵便物受領システム２と接続する。
郵便受領システム２は、会員情報管理部１０４と受領郵便管理部１０５から構成される。会員情報管理部１０４は複数存在することはないが、受領郵便管理部１０５は郵便物受領住所毎に複数存在してもよい。この郵便物受領管理部１０５は、例えば一般家庭に郵便物を配達する郵政機関の末端の郵便局内、あるいは受領代行サービスを行うコンビニエンスストアなどに設置される。以下、受領代行を行う施設のことを郵便物受領代行機関と言う。
クライアント１のＷＷＷブラウザ１０１はインターネット１０３を通じて、会員情報管理部１０４のＷＷＷサーバ１０６と通信を行う。ＷＷＷサーバ１０６はＷＷＷブラウザ１０１の会員登録ＵＲＬ要求により会員登録フォームを送信する。会員はＷＷＷブラウザ１０１に表示された会員登録フォームに会員情報を入力する。会員情報には、会員の電子メールアドレスや氏名等が含まれている。
そして、会員が入力・送信した会員情報をＷＷＷサーバ１０６が受信すると、会員登録部１０７に対して会員情報の登録を依頼する（詳細は後述の（１）会員登録処理で述べる）。
【００１０】
また、ＷＷＷサーバ１０６はＷＷＷブラウザ１０１の配送条件設定ＵＲＬ要求により配送条件設定フォームを送信する。会員はＷＷＷブラウザ１０１に表示された配送条件設定フォームに配送条件を入力する。
そして、会員が入力・送信した配送条件をＷＷＷサーバ１０６が受信すると、配送条件設定部１０８に対して配送条件の設定を依頼する（詳細は後述の（２）配送条件設定処理で述べる）。
【００１１】
受領郵便管理部１０５の受領郵便ＷＷＷページ生成部１０９は、郵便物受領住所において、会員宛ての郵便物を受領代行するとオペレータにより起動され、会員が郵便物を確認するためのＷＷＷページを生成する（詳細は後述の（３）受領郵便ＷＷＷページ生成処理で述べる）。
受領郵便ＷＷＷページ生成部１０９によって生成されたＷＷＷページのＵＲＬは、メールサーバ１１４によってインターネット１０３を通じて会員のメールサーバ１１５に配信される。メールサーバ１１５に配信されたメールは会員のメールクライアント１０２によって受信される。
メールクライアント１０２によって受信されたメール中のＵＲＬを会員がクリックすることにより、ＷＷＷブラウザ１０１が起動され、インターネット１０３を通じて、受領郵便管理部１０５のＷＷＷサーバ１１６と通信し、受領郵便ＷＷＷページ生成部１０９が生成したＷＷＷページが取得される。会員は少なくともＷＷＷページ中の次の指示待ち郵便物に対する指示を指定する。
そして、会員が入力・送信した指示情報をＷＷＷサーバ１１６が受信すると、受領郵便指示受信部１１７に対して受領郵便指示の更新を依頼する。受領郵便指示受信部１１７は、受信した指示に基づいて郵便物ＤＢ１１０を更新し、オペレータの介入が必要な指示についてはオペレータ端末１１８に表示する（詳細は後述の（４）受領郵便指示受信処理で述べる）。
【００１２】
本実施形態における郵便物受領代行方法の概要は、以下の通りである。
受領代行希望者に対して会員識別子と私書箱番号を割り当てる。これにより、受領代行希望者は会員となる。会員は、複数存在する存在する郵便物受領代行機関のうち利用し易い郵便物受領代行機関の少なくとも１つの機関の住所（郵便物受領住所）を使用し、私書箱番号を付加して自分宛ての郵便物送付先として使用する。すなわち、受領代行機関を介して自分宛の郵便物を受取るようにしたい場合には、差出人に対して、受領代行機関の住所を宛先住所として送付してもらう。このとき、私書箱番号も付記してもらう。
会員登録が終了したならば、会員は会員識別子を使用し、ＷＷＷサーバ１０６の郵便物配送条件設定画面にアクセスする。本画面では郵便物受領住所に送付された自分宛ての郵便物に対する配送条件を設定する。配送条件としては、差出人や日付を条件として、「今すぐ廃棄」、「週末廃棄」、「月末廃棄」、「今すぐ配送」、「週末配送」、「月末配送」、「開封スキャン」および「受取拒否」等がある。
【００１３】
実際に郵便物が郵便物受領住所に送付されると、郵便物識別子が割り当てられる。そして、オペレータによって郵便物の表面と裏面がＯＣＲ等の読み取り装置によってスキャンされる。スキャンされたデータは郵便物識別子とともに郵便物ＤＢ１１０に格納される。それとともにスキャンデータに対してＯＣＲプログラムを使用して私書箱番号と受取およびと差出人が識別される。私書箱番号と受取人が特定されると、その受取人、つまり会員が設定した配送条件が配送条件設定ＤＢ１１３から取得され、その条件に応じた処理が決定される。決定された処理は郵便物ＤＢ１１０に格納される。
その郵便物を配送すべき会員向けに、郵便物のスキャンデータと条件に応じた処理を列記したＷＷＷページが生成される。いずれの配送条件にも合致しない郵便物の場合、廃棄するか配送するか、もしくは開封して中身をスキャンするか等、次の指示待ち状態である旨、ＷＷＷページに記述される。ＷＷＷページが生成されると、ＵＲＬが会員に対して電子メールで通知される。
【００１４】
上記電子メールを受取った会員は電子メール中のＵＲＬをクリックし、受領郵便物管理部１０５のＷＷＷサーバ１１６のＷＷＷページにアクセスする。ここで会員は、郵便物を確認し、少なくとも次の指示待ち状態にある郵便物に対する指示を行う。
会員によって入力された指示は受領郵便指示受信部１１７よって受信され、郵便物ＤＢ１１０が更新される。オペレータによる廃棄、配送もしくは開封スキャンが必要な郵便物の情報はオペレータ端末１１８に表示される。オペレータは会員からの指示に従って配送又は廃棄などの必要な処理を行う。
【００１５】
図２（ａ）〜（ｃ）に本実施の形態で用いられる各種ＤＢ１１９，１１３，１１０の概要を示す。
会員管理ＤＢ１１９は、少なくとも会員を識別するための会員識別子、郵便受領住所での会員を識別するための私書箱番号、受領代行した郵便物を配送するために使用される配送先住所と氏名、および郵便物の到着を会員に連絡するために使用される電子メールアドレスを保持する。
会員登録が行われるたびに会員登録部１０７によって本ＤＢ１１９のレコードが追加される。
配送条件ＤＢ１１３は、少なくとも会員を識別するための会員識別子、「条件１」、「条件２」、キーワードおよびアクションを保持する。「条件１」で指定した項目にキーワードで指定した項目が「条件２」の状態である場合、アクションで指定した処理を行う。「条件１」には少なくとも差出人、受領住所および日付が含まれる。「条件２」には少なくとも「含む」、「含まない」、「完全一致」、「まで」および「以降」が含まれる。アクションには少なくとも「今すぐ廃棄」、「週末廃棄」、「月末廃棄」、「今すぐ配送」、「週末配送」、「月末配送」、「開封スキャン」および「受取拒否」が含まれる。
このＤＢ１１３は、会員によって配送条件設定が行われる度に配送条件設定部１０８によってレコードが追加、削除または編集される。また、郵便物受領住所に新しい郵便物が到着するたびに、受領郵便ＷＷＷページ生成部１０９によって本ＤＢ１１３へのアクセス依頼が電子メールによって行われる。
【００１６】
郵便物ＤＢ１１０は、少なくとも郵便物を識別するために割り当てられる郵便物識別子、その郵便物を配送するために使用する会員識別子、配送先氏名、配送先住所、およびその郵便物に対して設定された配送条件のアクション、もしくはオンデマンドで動的に与えられた指示がアクションとして保持される。アクションとしては少なくとも「今すぐ廃棄」、「週末廃棄」、「月末廃棄」、「今すぐ配送」、「週末配送」、「月末配送」、「受取拒否」、「開封スキャン」および「指示待ち」が含まれる。
この郵便物ＤＢ１１０は、郵便物受領住所に新しい郵便物が到着するたびに受領郵便ＷＷＷページ生成部１０９によってレコード追加が行われる。また、会員からの郵便物に対する指示を受信するたびに受領郵便指示受信部１１７によって更新が行われる。
【００１７】
（１）会員登録処理
会員登録部１０７が、ＷＷＷブラウザ１０１から会員登録要求を受けたときの処理を図３のフローチャートを参照して説明する。
本処理は、会員がＷＷＷブラウザ１０１に表示された図４のような会員登録フォーム４０１から会員情報を入力・送信し、それを受信したＷＷＷサーバ１０６が会員登録部１０７に処理を依頼すると実行される。図４の会員登録フォーム４０１では、会員の氏名、住所、電子メールアドレスを入力するようになっている。
まず、ＷＷＷサーバ１０６が会員情報を受信すると（ステップ３０１）、会員登録部１０７は会員管理ＤＢ１１９を検索して（ステップ３０２）、既に同一会員が登録されていないか否かを確認する（ステップ３０３）。登録されていた場合には、エラーメッセージを会員のクライアント１に送信して終了する（ステップ３１０）。
しかし、登録されていない場合には、会員識別子を付与し（ステップ３０４）、私書箱番号を割り当て（ステップ３０５）、会員管理ＤＢ１１９に図２（ａ）に示したように会員情報として登録する（ステップ３０６）。
以上の処理を終えると、会員に対し私書箱番号を通知して会員登録終了とする（ステップ３０７）。
【００１８】
（２）配送条件設定処理
配送条件設定部１０８がＷＷＷブラウザ１０１から配送条件設定要求を受けたときの処理を図５のフローチャートを参照して説明する。
本処理は、会員がＷＷＷブラウザ１０１に表示された図６のような配送条件設定フォーム６０１から配送条件を設定・送信し、それを受信したＷＷＷサーバ１０６が配送条件設定部１０８に処理を依頼すると実行される。
図６の例では、「条件１」、「キーワード」「条件２」、「アクション」を設定するようになっている。例えば設定１では、「条件１」＝差出人、「キーワード」＝株式会社、「条件２」＝含む、「アクション」＝月末廃棄を設定する例を示している。会員は、複数の配送条件を設定することができる。
まず、ＷＷＷサーバ１０６は、図６の配送条件フォーム６０１で入力された配送条件をクライアント１から受信すると（ステップ５０１）、配送条件設定部１０８に配送条件の設定を依頼する。配送条件設定部１０８は、配送条件設定ＤＢ１１３を検索し（ステップ５０２）、配送条件設定ＤＢ１１３にすでに該会員の配送条件が設定されているかどうか確認する（ステップ５０３）。既に１件でもデータが登録されている場合は、そのデータを削除する（ステップ５０５）。そして、ステップ５０１で受信した配送条件を配送条件設定ＤＢ１１３に格納する。
なお、図６の配送条件設定フォーム６０１において「条件の追加」ボタン６０２が操作された場合には、追加条件として格納する。
【００１９】
（３）受領郵便ＷＷＷページ生成処理
郵便物受領住所に会員宛ての郵便物が配達されたときに、オペレータによって起動される受領郵便ＷＷＷページ生成部１０９の処理を図７のフローチャートを参照して説明する。
受領郵便ＷＷＷページ生成部１０９は、まず配達された郵便物に対して郵便物識別子を割り当てる（ステップ７０１）。次にオペレータの介入を促し、配達された郵便物の表面と裏面をイメージスキャナでスキャンし（ステップ７０２）、スキャンデータに対してＯＣＲプログラムを適用して差出人、受取人および私書箱番号を認識する（ステップ７０３）。ＯＣＲプログラムによる読み取りが正常に行われたどうか確認し（ステップ７０４）、正常に読み取れなかった場合はオペレータの介入を促し、手動で差出人、受取人および私書箱番号の入力を行わせる（ステップ７１０）。また、オペレータの介入を促して、郵便物の重量を計測する（ステップ７０５）。
次に、受領郵便ＷＷＷページ生成部１０９は郵便物から取得した私書箱番号をキーとして条件参照クライアント１１１に配送条件設定の取得を依頼する。条件参照サーバ１１２はインターネット１０３を通じて条件参照クライアント１１１から処理依頼を受け、会員管理ＤＢ１１９にアクセスして私書箱番号から会員識別子と会員住所および会員氏名を取得し、配送条件設定ＤＢ１１３にアクセスして会員識別子の一致する配送条件を全て取得し、条件参照クライアント１１１に返す。
【００２０】
条件参照クライアント１１１は、配達された郵便物に対する会員の配送条件として条件参照サーバ１１２から返されたデータを受領郵便ＷＷＷページ生成部１０９に返す（ステップ７０６）。
受領郵便ＷＷＷページ生成部１０９は、配達された郵便物の差出人、日付等とステップ７０６で取得した配送条件を比較して該郵便物に対する処理を決定し、図８に示すような郵便物確認用のＷＷＷページを生成する（ステップ７０７）。
図８中の郵便物確認ページの例１は、会員が設定してあった配送条件に一致した場合の表示例であり、郵便物確認ページの例２は会員が設定してあった配送条件のいずれにも一致しなかった場合の表示例である。なお、郵便物確認ページでは、郵便物の表裏の画像イメージの他に、参考のために郵便物の重量も表示される。この重量表示により、会員は「開封スキャン」を選択することが適切か否か判断しやすくなる。後で述べるように、「開封スキャン」の場合は受領郵便指示受信処理においてオペレータの介入により内容物がスキャンされるが、内容物が多い場合には、それら全部をスキャンすることはオペレータに負担を与え、電子メールによって送付する場合等でも通信に負荷をかけるからである。
続いて受領郵便ＷＷＷページ生成部１０９は、上記処理で取得した情報を郵便物ＤＢ１１０に書き込み（ステップ７０８）、作成したＷＷＷページのＵＲＬを含んだ電子メールを、メールサーバ１１４を使用しインターネット１０３を通じて会員のメールサーバ１１５に配送し（ステップ７０９）、郵便物受領代行の通知とする。
【００２１】
（４）受領郵便指示受信処理
受領郵便指示受信部１１７が、ＷＷＷブラウザ１０１から受領郵便に対する処理要求を受けたときの処理を図９のフローチャートを参照して説明する。
本処理は、会員がＷＷＷブラウザ１０１に表示された図８のような郵便物確認ページから受領郵便に対する処理を入力・送信し、それを受信したＷＷＷサーバ１１６が受領郵便指示受信部１１７に処理を依頼すると実行される。
まず、ＷＷＷサーバ１１６が受領郵便に対する処理を受信すると（ステップ９０１）、受領郵便指示受信部１１７は「今すぐ廃棄」、「今すぐ配送」、「開封スキャン」および「受取拒否」等、オペレータの介入が必要な処理が指定されていないか確認し（ステップ９０２）、オペレータの介入が必要と判断した場合、オペレータ端末１１８にその旨を表示しオペレータの介入を促す（ステップ９０４）。
そして、会員から指定された指示を郵便物ＤＢ１１０に格納する（ステップ９０３）。介入が必要とない判断した場合には、すなわち配送条件で指定された通りの処理を行う場合は郵便物ＤＢ１１０を更新せずに終了する。
【００２２】
「今すぐ廃棄」、「今すぐ配送」、「開封スキャン」および「受取拒否」等、オペレータの介入が必要な指示されていた場合、その指示に従ってオペレータは該当郵便物を処理する。例えば、「開封スキャン」が指示されていた場合、当該郵便物を開封し、内容をイメージスキャナによってスキャンし、イメージデータを電子メールによって送信するか、または会員宛のＷＷＷページに掲載し、新たな指示を待つ。
【００２３】
【発明の効果】
以上説明したように、本発明によれば、会員は予め設定しておいた配送条件、もしくはオンデマンドに指示した処理方法に従って郵便物の配送を受けることが可能となり、不要な郵便物を受ける必要がなくなる。
また、配送時期を指定してプライオリティの低い郵便物をまとめて配送させることによって、配送にかかるコストを軽減することも可能となる。
【図面の簡単な説明】
【図１】本発明の一実施の形態における郵便物受領代行システムの構成を示すブロック図である。
【図２】本発明の一実施の形態に用いられる各種管理ＤＢの構成を示す図である。
【図３】会員情報登録処理の流れを示すフローチャートである。
【図４】本発明の一実施の形態における会員登録フォームの一例を示す図である。
【図５】配送条件設定処理の流れを示すフローチャートである。
【図６】本発明の一実施の形態における配送条件設定フォームの一例を示す図である。
【図７】受領を代行した郵便物の、会員による確認ページを生成するための受領郵便ＷＷＷページ生成処理の流れを示すフローチャートである。
【図８】本発明の一実施の形態における郵便物確認ページの一例を示す図である。
【図９】郵便物確認ページから郵便物に対して入力された処理依頼を受信する処理の流れを示すフローチャートである。
【符号の説明】
１…クライアント、２…郵便物受領代行システム、１０１…ＷＷＷブラウザ、１０２…メールクライアント、１０３…インターネット、１０４…会員情報管理部、１０５…受領郵便管理部、１０６…ＷＷＷサーバ、１０７…会員登録部、１０８…配送条件設定部、１０９…受領郵便ＷＷＷページ生成部、１１０…郵便物ＤＢ、１１１…条件参照クライアント、１１２…条件参照サーバ、１１３…配送条件設定ＤＢ、１１４…メールサーバ、１１５…メールサーバ、１１６…ＷＷＷサーバ、１１７…受領郵便指示受信部、１１８…オペレータ端末、１１９…会員管理ＤＢ。
【図１】
2004287726.tif 000003
【図２】
2004287726.tif 000004
【図３】
2004287726.tif 000005
【図４】
2004287726.tif 000006
【図５】
2004287726.tif 000007
【図６】
2004287726.tif 000008
【図７】
2004287726.tif 000009
【図８】
2004287726.tif 000010
【図９】
2004287726.tif 000011